(57)【要約】【課題】  照明装置自体の向きを変化させるためのヒンジ機構を用いることなく、照明装置から照射される光の方向を変化させることができる照明装置及び照明機器を提供する。【解決手段】  照明装置１は、ＬＥＤ２の上部に設けられＬＥＤ２が発する光を屈折させて一定の方向へ照射するレンズ５と、レンズ５を保持するためレンズ５の左右に設けられ筺体４に取付けられる保持板６とを備える。レンズ５は、上部近傍であって保持板７に面する左右側面に棒状の突起部８を備える。保持板７は、突起部８が挿入されるために筺体４に取付けられた一端の所定を中心として形成された溝部９を備える。レンズ５は、溝部９に貫通させられた突起部８が可動させられることによって、向きが変えられる。これにより、照明装置１は、照明装置１自体の向きを変えることなく、ＬＥＤ２が発する光の照射方向を容易に変えることが可能となる。【選択図】図２
2007035381.tif 000002
【特許請求の範囲】
【請求項１】
光源としてのＬＥＤと、前記ＬＥＤが取付けられる取付板を含む筺体と、前記ＬＥＤの上部に設けられ該ＬＥＤが発する光の進行方向を制御する光学部品と、を備える照明装置において、
前記筺体は、前記光学部品の左右側面に対向して設けられ、該光学部品を保持する保持板を備え、
前記光学部品には、その上部近傍で前記保持板に対向する左右側面に突起部が設けられ、
前記保持板には、前記ＬＥＤの発光部に略対応する高さ位置を中心とした円弧形状の溝部が形成され、
前記光学部品は、前記突起部が前記溝部に挿入され、該溝部にガイドされて回動自在とされていることを特徴とする照明装置。
【請求項２】
前記ＬＥＤの発する光が前記ＬＥＤと前記光学部品との間から漏れるのを防止するための伸縮自在な反射部材又は遮光部材を備え、
前記反射部材又は遮光部材は、該ＬＥＤの周囲を覆った状態で、一端側が前記取付板に取付けられ他端側が前記光学部品の下部に取付けられることを特徴とする請求項１に記載の照明装置。
【請求項３】
請求項１又は請求項２に記載の照明装置を備えた照明機器。
【発明の詳細な説明】
【技術分野】
【０００１】
本発明は、特に光源としてＬＥＤを用いた照明装置及び照明機器に関する。
【背景技術】
【０００２】
従来のＬＥＤを光源とした照明装置においては、ＬＥＤが放射状に発する光を一定方向へ照射させるために、例えば、光が入射される凹部底面に凸状面を持つ、いわゆるハイブリットレンズがＬＥＤの近傍に取付けられている。これによりＬＥＤの発する光は、ハイブリットレンズによって屈折させられるため一定方向を照射することが可能となる。しかし、このような照明装置では、光の照射方向を変えることができず、光の照射方向を変えるには、照明装置自体の向きを変える必要があった。そこで、照明器具は、壁や天井などに取付けられる筺体にヒンジ機構を備えることにより、照明装置自体の向きが変えられていた。しかし、このような照明装置にはヒンジ機構が必要であり、壁や天井などに取付けられた照明装置自体の向きが変えられる影響を考慮して配線を設置する必要があるため、照明装置の構造が複雑となると同時に取付作業が困難であった。
【０００３】
また、照明装置自体の向きを変えずに、照明装置の光が照らす範囲を変える構成として、例えば、特許文献１に示されるように、凸面からなるプリズムレンズと凹面からなるプリズムレンズを備えた照明装置が知られている。凸面からなるプリズムレンズ及び凹面からなるプリズムレンズは、可動するように照明装置に取付けられているため、各プリズムレンズを可動させることによりプリズムレンズが交換できる構成となっている。これにより、凸面からなるプリズムレンズが用いられたとき、照明装置は広い範囲を照射し、凹面からなるプリズムレンズが用いられたとき、照明装置は狭い範囲を照射することができる。
【０００４】
また、ＬＥＤの発する光の一部は、ＬＥＤとＬＥＤの近傍に設けられたハイブリットレンズとの間から漏れるためハイブリットレンズに入射しなかった。これにより、照明装置から照射される光量が十分でないことがあった。そこで、例えば、特許文献２に示されるように、ＬＥＤの周囲に反射枠を形成することで、ＬＥＤとハイブリットレンズとの間から漏れる光を反射させて、ハイブリットレンズへ入射させる構成が知られている。
【０００５】
しかしながら、特許文献１に示される技術においては、複数のプリズムレンズが必要であるため、部品点数が増加し構造が複雑化することによる製造コストの増加が問題となっていた。さらに、狭い範囲を照射したときは、光が集められるため明るく照らすことができるが、広い範囲を照射したときは、光が分散されるので十分な光度が得られないという問題があった。
【０００６】
また、特許文献２に示される技術においては、ＬＥＤ、ハイブリットレンズ、及び反射板が一体となって固定される構成であるため、照明装置からの光の照射方向を変えるためには、従来の照明装置と同様に照明装置自体の向きを変えなければならなかった。このため、照明装置の構造が複雑であり容易に取付けることができないことによる製造コストの増加、及び取付作業の悪化が問題となっていた。
【特許文献１】特開２００４−１９９８９１号公報
【特許文献２】特開平０６−１０３８０２号公報
【発明の開示】
【発明が解決しようとする課題】
【０００７】
本発明は、上記従来例の問題を解決するためになされたものであり、照明装置自体の向きを変化させるためのヒンジ機構を用いることなく、照明装置から照射される光の方向を容易に変化させることができる構成とすることで、照明装置の構造を簡易にして製造コストを抑えると共に、容易に取付けられる照明装置及び照明機器を提供することを目的とする。
【課題を解決するための手段】
【０００８】
上記目的を達成するために請求項１の発明は、光源としてのＬＥＤと、ＬＥＤが取付けられる取付板を含む筺体と、ＬＥＤの上部に設けられＬＥＤが発する光の進行方向を制御する光学部品と、を備える照明装置において、筺体は、光学部品の左右側面に対向して設けられ、光学部品を保持する保持板を備え、光学部品には、その上部近傍で保持板に対向する左右側面に突起部が設けられ、保持板には、ＬＥＤの発光部に略対応する高さ位置を中心とした円弧形状の溝部が形成され、光学部品は、突起部が溝部に挿入され、溝部にガイドされて回動自在とされているようにしたものである。
【０００９】
また、請求項２の発明は、ＬＥＤの発する光がＬＥＤと光学部品との間から漏れるのを防止するための伸縮自在な反射部材又は遮光部材を備え、反射部材又は遮光部材は、ＬＥＤの周囲を覆った状態で、一端側が取付板に取付けられ他端側が光学部品の下部に取付けられるようにしたものである。
【００１０】
また、請求項３の発明は、請求項１又は請求項２に記載の照明装置を備えたものである。
【発明の効果】
【００１１】
請求項１の発明によれば、光学部品は、その上部近傍で保持板に対向する左右側面に設けられた突起部が保持板に形成された溝部に挿入されることにより、溝部にガイドされて自在に回動することが可能となる。光学部品が回動させられることにより、照明装置は、照明装置自体の向きを変えることなく、光の照射方向を変えることができるため、照明装置自体の向きを変えるヒンジ機構が不要となる。これにより、照明装置の構造が簡易になるため、製造コストが抑えられると共に照明装置の取付作業が容易となる。
【００１２】
請求項２の発明によれば、照明装置は、ＬＥＤの周囲を覆った状態で、ＬＥＤと光学部品との間に伸縮自在な反射部材、又は遮光部材を備えることにより、ＬＥＤの発する光がＬＥＤと光学部品との間から漏れるのを防止することができる。これにより、照明装置は、反射部材又は遮光部材によってＬＥＤと光学部品との間から漏れる光を光学部品へ入射させることにより、照明装置の光量の減少を防止することができる。
【００１３】
請求項３の発明によれば、上述と同等の作用効果が得られ、さらには、複数の照明装置を備えることにより、個々の照明装置のレンズを回動させることにより、それぞれの照明装置から照射される光の方向を変化させることができると共に、各光の色を変えることも可能となる。
【発明を実施するための最良の形態】
【００１４】
以下、本発明の第１の実施形態に係る照明装置について、図面を参照して説明する。図１は、本発明の第１の実施形態に係る照明装置の構成を示す。照明装置１は、光源として光を発するＬＥＤ２と、ＬＥＤ２が取付けられる取付板３と、取付板３が設置される筺体４と、ＬＥＤ２の上部に設けられＬＥＤ２が発する光を屈折させて一定の方向へ照射する光学部品５（以下、レンズ５という）と、レンズ５の左右側面に対向して設けられレンズ５を保持する保持板７とを備える。ＬＥＤ２は、上面にＬＥＤレンズ６を備える。レンズ５は、その上部近傍に保持板７に対向する左右側面に突起部８が設けられている。保持板７は、筺体４に取付けられており、ＬＥＤ２の発光部に略対応する高さ位置を中心とした円弧形状の溝部９が形成されている。溝部９には、突起部８が挿入される。ここで、レンズ５は、例えばハイブリットレンズである。
【００１５】
ＬＥＤ２から放射状に発光させられた光はレンズ５へ入射する。レンズ５は、入射した光を屈折させてレンズ５の上面に対して垂直となる方向へ照射する。これにより、照明装置１は、一定の方向へ光を照射することができる。また、レンズ５は、溝部９に貫通させられた突起部８が可動させられることにより回動して向きが変えられる。これにより、照明装置１は、レンズ５の向きが変えられることにより、照明装置１自体の向きを変えることなく、光の照射方向を変えることができる。なお、突起部８又は溝部９には、ゴム部材を装着しておき、突起部８の回り止めがなされるようにしておくことが望ましい。
【００１６】
上記光源から出射される光は、レンズにより集光され、このレンズを動かすことにより照射方向を変更することができる。この光源の配光は、光出射方向中心付近が最も強く、そこから、ある程度の角度範囲は大きく光度が下らない配光曲線を持つものとする。そして、レンズを動かす軌道は、レンズの発光部の略中心を軸として、その任意の半径で回動させる。
【００１７】
図２（ａ），（ｂ）は、同照明装置１のレンズ５の向きが変えられる状態を示す。図２（ａ），（ｂ）は、ともに、照明装置１を保持板７の方向から見た状態を示す。レンズ５は、ＬＥＤ２の発光部の高さ位置を中心とした円弧形状の溝部９に沿って、この円弧形状の中心の回りに円弧回動する。これにより、レンズ５が回動しても、レンズ５の下部はＬＥＤ２の上方近傍に位置するため、ＬＥＤ２が発する光は、レンズ５へ効率よく入射することができる。図２（ａ）は、照明装置１が上方へ光を照射する状態を示し、図２（ｂ）は、照明装置１が、斜め上方へ光を照射する状態を示す。図２（ａ）において、レンズ５の上面は、突起部８が溝部９の中央に配置されているため、取付板３及び筺体４と平行な状態となっている。このため、ＬＥＤ２から放射状に発光させられた光は、レンズ５の上面に対して垂直な方向（矢印Ａ）へ照射される。
【００１８】
図２（ｂ）において、レンズ５の上面は、突起部８が溝部９の左側に配置されているため、左側に傾いた状態となっている。これにより、レンズ５の上面は、斜め上方に面するため、ＬＥＤ２から放射状に発光させられた光は、レンズ５の上面に対して垂直な方向（矢印Ｂ）へ照射される。このように、照明装置１は、突起部８が溝部９にガイドされながら溝部９の円弧方向へ可動させられることによりレンズ５の向きが変えられるため、照明装置１自体の向きを変えることなく、光の照射方向を容易に変えることができる。
【００１９】
図３（ａ），（ｂ）は、同照明装置１の第１の変形例を示す。図３（ａ），（ｂ）は、ともに照明装置１が伸縮自在な反射部材１１を備えた状態を示す。照明装置１は、ＬＥＤ２とレンズ５との間に隙間１０を有する構成となっている。そこで、照明装置１は、ＬＥＤ２とレンズ５との隙間１０から、ＬＥＤ２が発する光の一部が漏れるのを防止するため、反射部材１１を備える。反射部材１１は、ＬＥＤ２の周囲を覆う状態で、一端側がレンズ５の下部に取付けられ、他端側が取付板３に取付けられる。また、反射部材１１は、レンズ５が回動したときにおいてもＬＥＤ２を覆った状態を維持するため、伸縮することができる構成となっている。そこで、反射部材１１の形状は、反射部材１１が伸縮するために蛇腹状となるように形成されている。さらに、反射部材１１は、反射効率の良好な白色シートやアルミシートなど光の反射効率の良好な素材によって形成されている。なお、ここで、反射部材１１に変えて遮光部材を用いてもよい。
【００２０】
図３（ａ）は、照明装置１が上方へ光を照射する状態を示し、図３（ｂ）は、照明装置１が、斜め上方へ光を照射する状態を示す。図３（ａ）において、レンズ５の上面は、突起部８が溝部９の中央に配置されているため、取付板３及び筺体４と平行な状態となっている。このとき、ＬＥＤ２とレンズ５との隙間１０は、ＬＥＤ２の周囲のどの位置でおいても略均一な間隔となっている。このＬＥＤ２とレンズ５との隙間１０から漏れた光は、
反射部材１１によって、レンズ５へ反射させられる。これにより、反射させられた光がレンズ５へ入射するため、照明装置１は照射する光量が減少するのを防止することができる。
【００２１】
図３（ｂ）において、レンズ５の上面は、突起部８が溝部９の左側に配置されているため、左側に傾いた状態となっている。レンズ５が左側に傾いた状態のとき、ＬＥＤ２の左側とレンズ５の下部との隙間１０ａは狭くなり、ＬＥＤ２の右側とレンズ５の下部との隙間１０ｂは広くなる。このとき、反射部材１１は、隙間１０ａ側の反射部材１１が縮められ、隙間１０ｂ側の反射部材１１が伸ばされるため、レンズ５が傾いた状態であっても、ＬＥＤ２の周囲を覆った状態を維持し、隙間１０からの光漏れを防止することができる。
【００２２】
図４は、同照明装置１の第２の変形例を示す。照明装置１は、保持板９の外側の筺体４に取付けられ突起部８に当接するばね部材１２を備える。ばね部材１２の上部の形状は、溝部９と同様にＬＥＤ２に略対応する高さ位置を中心とした円弧形状になるように形成されている。また、ばね部材１２の上部は、溝部９と同様の高さ位置となるように形成されている。ばね部材１２の上部の裏面は、溝部９に挿入された突起部８に当接する。ばね部材１２は、突起部８をばね部材１２の上部の円弧形状の中心へ向けて付勢する。これにより、レンズ５は、突起部８が溝部９に付勢させられるため回動しにくくなるため、回動させられたレンズ５の位置は、振動や重力によって変化させられなくなる。
【００２３】
図５は、本発明の第２の実施形態に係る照明機器の構成を示す。照明機器１３は、３台の照明装置１を備える。ここで、各照明装置１の取付板３、筺体４、及び保持板７は連結しており一体となっている。取付板３、筺体４、及び保持板７が一体となることで、３台の照明装置１を個別に取付ける場合に比べ、部品点数を減らすことができるため製造コストが抑えられるのと同時に、取付け作業が容易になる上、意匠性が向上する。また、複数の照明装置１を備えた照明機器１３は、取付板３、筺体４、及び保持板７が一体となっているためコンパクトでありながら、個々の照明装置１のレンズ５を回動させることにより、それぞれの照明装置１から照射される光の方向（矢印Ｃ）を変化させることができると共に、各光の色を変えることも可能となる。さらに、ＬＥＤ２が発する熱は、取付板３と筺体４との接触面積が広くなることにより、取付板３及び筺体４に伝導しやすくなるため効率的に放熱される。
【００２４】
図６は、本発明の第３の実施形態に係る照明機器の構成を示す。照明機器１３は、ＬＥＤ２、レンズ５及び取付板３がそれぞれ４つずつ並列して設置された照明装置１を３台備える。照明装置１は、レンズ５が嵌め込まれる透明なレンズ取付板１４を備える。レンズ取付板１４には、両端に突起部８が設けられ、突起部８は保持板７に設けられた溝部９に挿入される。レンズ５が嵌め込まれたレンズ取付板１４を回動させることにより、照明機器１から並列して照射される光の方向を変えることができる。各照明機器１のレンズ取付板１４をそれぞれ異なる方向へ回動させることにより、各照明機器１の光をそれぞれ異なる方向へ照射することができる。さらに、各照明機器１のレンズ取付板１４を同じ方向へ回動させることにより、複数の照明装置１で同じ方向を照射することができるため、１台の照明装置１で照射したときに比べて、より明るく照射することができる。
【００２５】
なお、本発明は、上記各種実施形態の構成に限られず、発明の趣旨を変更しない範囲で種々の変形が可能である。例えば、図４においてレンズ５を回動しにくくするためのばね部材１２に代えて、突起部８にローレット加工を施した構成としてもよい。また、図５乃至図６において、照明機器１３が備える照明装置１の数は３台に限られず、さらに多くの照明装置１を備える構成であってもよい。
【図面の簡単な説明】
【００２６】
【図１】本発明の第１の実施形態に係る照明装置の構成を示す斜視図。
【図２】（ａ），（ｂ）は、同照明装置１のレンズ５の向きが変えられる状態を示す説明図。
【図３】（ａ），（ｂ）は、同照明装置１の第１の変形例を示す説明図。
【図４】同照明装置１の第２の変形例を示す斜視図。
【図５】本発明の第２の実施形態に係る照明機器の構成を示す説明図。
【図６】本発明の第３の実施形態に係る照明機器の構成を示す斜視図。
【符号の説明】
【００２７】
１  照明装置
２  ＬＥＤ
３  取付板
４  筺体
５  光学部品（レンズ）
７  保持板
８  突起部
９  溝部
１３  照明機器
【図１】
2007035381.tif 000003
【図２】
2007035381.tif 000004
【図３】
2007035381.tif 000005
【図４】
2007035381.tif 000006
【図５】
2007035381.tif 000007
【図６】
2007035381.tif 000008